(57)【要約】【課題】模様が施されたガラスパネル等の面材を組み込んだ各種の建具において、面材の正面側から、面材の面内方向の傾きを簡単に修正しうる角度調整装置を提供する。【解決手段】下辺受材４の上面に受溝部を設けて、その中に面材１の下縁部を納め、受溝部には、正面側から見て奥向きに登り傾斜となるガイド斜面５１を形成して、その上に同じ傾斜角の摺接斜面６１を底部に形成した昇降ブロック６を載せ、昇降ブロック６の上に面材１の下縁部を載置する。下辺受材４に取り付けた調整ねじ７を正面側から操作して、昇降ブロック６をガイド斜面５１に沿って斜めに昇降させ、面材１の下縁部を上下動させる。かかる角度調整装置を面材１の下縁部の少なくとも片側に設けることで、面材１の角度調整を容易にする。【選択図】  図３
2017110337.tif 000002
【特許請求の範囲】
【請求項１】
面材の下縁部を保持する下辺受材と、
前記下辺受材の上面に設けられたガイド斜面と、
前記ガイド斜面と前記面材の下縁部との間に介装される昇降ブロックと、
前記下辺受材に取り付けられて前記昇降ブロックを前記面材と直交する方向に進退させる調整ねじと、
を具備し、
前記ガイド斜面は、前記面材の正面側から見て奥向きに登り傾斜となるように形成される一方、
前記昇降ブロックの底部には前記ガイド斜面と同じ傾斜角をなす摺接斜面が形成され、
前記調整ねじの操作に応じて、前記昇降ブロックが前記ガイド斜面に沿って斜めに昇降し、前記面材の下縁部が上下動して、前記面材の傾斜角が変化するように構成された面材の角度調整装置。
【請求項２】
面材の下縁部を保持する下辺受材と、
前記下辺受材に組み付けられたガイドブロックと、
前記ガイドブロックと前記面材の下縁部との間に介装される昇降ブロックと、
前記下辺受材に取り付けられて前記ガイドブロックを前記面材と直交する方向に進退させる調整ねじと、
を具備し、
前記ガイドブロックの上面には、前記面材の正面側から見て奥向きに下り傾斜となるガイド斜面が形成される一方、
前記昇降ブロックの底部には前記ガイド斜面と同じ傾斜角をなす摺接斜面が形成され、
前記調整ねじの操作に応じて前記ガイドブロックが進退することにより、前記昇降ブロックが前記ガイド斜面に沿って昇降し、前記面材の下縁部が上下動して、前記面材の傾斜角が変化するように構成された面材の角度調整装置。
【請求項３】
請求項１または２に記載された面材の角度調整装置において、
前記ガイド斜面の水平面に対する傾斜角度が３０度ないし５０度であることを特徴とする面材の角度調整装置。
【請求項４】
請求項１または２に記載された面材の角度調整装置において、
前記下辺受材の長手方向に沿って、その上面にガイド溝が設けられ、
前記昇降ブロックが前記ガイド溝に沿って配置されるとともに、
前記下辺受材の上面には、前記昇降ブロックの左右に干渉して前記昇降ブロックが前記下辺受材の長手方向に移動することを規制する横ズレ防止部材が取り付けられたことを特徴とする面材の角度調整装置。
【請求項５】
請求項１〜４の３いずれか１項に記載された面材の角度調整装置において、
前記下辺受材には、前記面材と直交する方向に進退して前記面材の下縁部に締着または圧接されることにより、前記面材を前記下辺受材に対して不動状態に固定する固定ねじが、前記面材の正面側から操作し得るように取り付けられたことを特徴とする面材の角度調整装置。
【発明の詳細な説明】
【技術分野】
【０００１】
本発明は、ガラスパネル等の面材を嵌め込んだ窓、戸その他の建具において、面材の傾きを微調整することを可能にする面材の角度調整装置に関する。
【背景技術】
【０００２】
一般的なガラス窓は、矩形に枠組みした框体（窓等における可動部分の周枠部材）の内側に、面材としてのガラスパネルを嵌め込んで構成される。図１は、複層ガラスパネル１０を面材に用いた一般的なアルミサッシ窓における、下框部分の概略断面の一例を示す。
【０００３】
アルミ押出し型材等からなる下框材２１には、複層ガラスパネル１０の下縁部を納めるための凹溝部２２が形成されている。この凹溝部２２の内底部分には、適度の弾性を備えた合成樹脂または合成ゴム等からなるセッティングブロック２３が、適宜間隔で接着される。一方、複層ガラスパネル１０の下縁部には、グレイジングチャンネルあるいはグレイジングビードと称される、軟質の合成樹脂または合成ゴム等からなるシール部材２４が装着される。その状態で複層ガラスパネル１０が下框材２１の凹溝部２２に嵌め込まれ、複層ガラスパネル１０と下框材２１との間が水密・気密的に封止される。また、複層ガラスパネル１０の下縁部と下框材２１との間にセッティングブロック２３が挟み込まれて、複層ガラスパネル１０と下框材２１とが非接触状態で位置決めされることにより、複層ガラスパネル１０のガタつきが防止され、衝撃からも保護される。
【０００４】
このように、複層ガラスパネルと下框材との間にセッティングブロック及びシール部材を挟み込んだガラス窓の下框構造は、例えば特許文献１〜３等に開示されている。面材に単層のガラスパネルを用いたガラス窓、戸体の障子にガラスパネルを嵌め込んだ引戸、開き戸等においても、ガラスパネルの下縁部の納まりは前述したアルミサッシ窓の下框部分とおおむね同様である。
【０００５】
また、障子を開閉しない嵌め殺し式のガラス窓においては、ガラスパネルの下縁部が、窓の下枠に設けられた凹溝部内に納められる。その場合も、前述のアルミサッシ窓と同様に、ガラスパネルと下枠との間にシール部材及びセッティングブロックが挟み込まれた状態でガラスパネルが保持される。
【先行技術文献】
【特許文献】
【０００６】
【特許文献１】特開２００３−２２７２７３号公報
【特許文献２】特開２００６−２４９７０８号公報
【特許文献３】特開２０１２−１３６８７８号公報
【発明の概要】
【発明が解決しようとする課題】
【０００７】
窓、戸その他の建具に嵌め込むガラスパネルに、格子柄やストライプ柄等の精緻な模様が加工されることがある。また、縦長のガラスパネルを掛け軸のような鑑賞物として造形し、壁面等に設置する事例も見られる。
【０００８】
例えば図２（ａ）に示すように、縦横の方向性を強調する模様加工が施されたガラスパネル１０が矩形の窓に装着されている建具において、ガラスパネル１０の模様が、ガラスパネル１０を囲む框体２や窓枠３の縦横に対してわずかでも傾いてしまうと、看者に不快な印象を与える。したがって、そのような建具では、框体２や窓枠３に嵌め込んだガラスパネル１０を、その面内で左右に回転させ、同図（ｂ）のように傾きを修正することが必要になる。
【０００９】
従来、例えば引戸形式の障子を有する建具において、レール上を転動する戸車の高さを個々に調整することにより、引戸の傾きを修正できるようにした機構は公知である。また、開き戸形式の障子を有する建具において、障子を軸支する丁番金具を微調整することにより、戸枠に対する障子の建付けを修正する技術も公知である。しかしながら、框体や窓枠等に嵌め込んだガラスパネルを、その面内で微小角度だけ回動させて傾きを微調整する技術は、本出願人が調査した範囲では特に見当たらない。
【００１０】
そこで、本発明は、ガラスパネルその他の面材を障子の框体、窓枠や戸枠、あるいは額縁等に嵌め込んだ各種の建具等において、框体を窓枠や戸枠から取り外したり、框体を分解したりせずとも、面材の正面側から簡単に面材の傾きを修正することができる角度調整装置を提案するものである。
【課題を解決するための手段】
【００１１】
まず、本発明が角度調整の対象とする「面材」には、単層の板ガラス、型板ガラス、デザインガラス、合わせガラス、複層ガラス等のほか、それらのガラスパネルに各種フィルム、網体、蛍光体その他様々な材料を積層するなどした複合パネル体や、ステンドグラス、さらには、プリント化粧合板等の木質板材、アクリル板やポリカーボネイト板等の合成樹脂パネル、エッチング等の加飾が施された銅板やアルミニウム板等の金属板、またこれらに類するその他の薄板状材料が広範囲に包含される。面材の材質及び透光性は特に問わないが、発明の目的に鑑みると、面材の表面または内部に、少なくとも面材の正面側から視認し得る適宜の意匠が施されていることが前提となる。
【００１２】
かかる面材は、その周縁部のうち少なくとも下縁部が略水平な直線状に形成され、該下縁部には必要に応じて、適宜の保護部材や縁取り部材等があらかじめ取り付けられているものとする。ただし、本発明では、面材と一体化されたそれらの保護部材や縁取り部材等は、面材の一部分として扱う。
【００１３】
また、その種の面材を保持する「下辺受材」としては、窓や戸における障子の下框材、嵌め殺し式の窓における窓枠の下枠材のほか、壁面に取り付けられた額縁の下縁材等が含まれる。窓の開閉の可否や開閉方式は任意である。本発明においては、面材の周縁部のうち少なくとも下縁部を含む一部または全部を囲んで保持するそれらの部材を、特に区別せず「枠体」と総称し、その下辺を構成する部材を「下辺受材」と呼ぶものとする。
【００１４】
そして、前述の目的を達成するために、本発明の面材の角度調整装置が採用した第一の基本的構成は、面材の下縁部を保持する下辺受材と、前記下辺受材の上面に設けられたガイド斜面と、前記ガイド斜面と前記面材の下縁部との間に介装される昇降ブロックと、前記下辺受材に取り付けられて前記昇降ブロックを前記面材と直交する方向に進退させる調整ねじと、を具備し、前記ガイド斜面は、前記面材の正面側から見て奥向きに登り傾斜となるように形成される一方、前記昇降ブロックの底部には前記ガイド斜面と同じ傾斜角をなす摺接斜面が形成され、前記調整ねじの操作に応じて、前記昇降ブロックが前記ガイド斜面に沿って斜めに昇降し、前記面材の下縁部が上下動して、前記面材の傾斜角が変化するものとして特徴づけられる。
【００１５】
この動作原理を図３に示す。本発明における「面材の正面側」とは、面材が装着される枠体の開口面に正対して、面材の意匠を視認しうる側であり、建物の壁面に設けられた窓の場合は通常、室内側を正面側とする。ただし、その建具の設置部位や形態等によっては、室外側を正面とする場合もあり得る。図３では、左の図が面材１の下部を正面側から見た図であり、右の断面図では右手が正面側となる。同図（ａ）のように、面材１の下縁部を保持する下辺受材４の上面に、正面側から見て奥向きに登り傾斜となる（下縁よりも上縁が後退する）ガイド斜面５１を設け、その上に、ガイド斜面５１と同じ傾斜角をなす摺接斜面６１を底部に形成した昇降ブロック６を載せ、下辺受材４に取り付けた調整ねじ７を正面側から操作して昇降ブロック６を後方に押し込む。すると、同図（ｂ）のように、昇降ブロック６がガイド斜面５１に沿って斜め後方にせり上がり、昇降ブロック６の上に載せた面材１を持ち上げる。このように動作する昇降機構を、面材１の下縁部の両端部のうち少なくとも片側の端部に近接させて設けることにより、面材１の片側または両側を上下動させて、面材１の傾斜角を調整することができる。
【００１６】
また、本発明の面材の角度調整装置が採用した第二の基本的構成は、面材の下縁部を保持する下辺受材と、前記下辺受材に組み付けられたガイドブロックと、前記ガイドブロックと前記面材の下縁部との間に介装される昇降ブロックと、前記下辺受材に取り付けられて前記ガイドブロックを前記面材と直交する方向に進退させる調整ねじと、を具備し、前記ガイドブロックの上面には、前記面材の正面側から見て奥向きに下り傾斜となるガイド斜面が形成される一方、前記昇降ブロックの底部には前記ガイド斜面と同じ傾斜角をなす摺接斜面が形成され、前記調整ねじの操作に応じて前記ガイドブロックが進退することにより、前記昇降ブロックが前記ガイド斜面に沿って昇降し、前記面材の下縁部が上下動して、前記面材の傾斜角が変化するものとして特徴づけられる。
【００１７】
この動作原理を図４に示す。図４の断面図も右手が正面である。同図（ａ）のように、下辺受材４の上面に組み付けたガイドブロック８には正面側から見て奥向きに下り傾斜となる（前縁よりも後縁が低くなる）ガイド斜面８１を形成し、その上に、ガイド斜面８１と同じ傾斜角をなす摺接斜面６１を底部に形成した昇降ブロック６を載せ、下辺受材４に取り付けた調整ねじ７を正面側から操作してガイドブロック８を後方に押し込む。すると、同図（ｂ）のように、下辺受材４によって後退が規制されている昇降ブロック６は、ガイド斜面８１に沿って真上にせり上がり、昇降ブロック６の上に載せた面材１を持ち上げる。このように動作する昇降機構を、面材１の下縁部の両端部のうち少なくとも片側の端部に近接させて設けることにより、面材１の片側または両側を上下動させて、面材１の傾斜角を調整することができる。
【００１８】
前述した二通りの基本的構成において、前記ガイド斜面の水平面に対する傾斜角度は、正面側から見て奥向きに登り傾斜となる場合、および下り傾斜となる場合のいずれであっても、３０度ないし５０度の範囲となるのが特に好ましい。これにより、調整ねじを正面側から押し込んだときの昇降ブロックのせり上がりが円滑になる。
【００１９】
また、前述した二通りの基本的構成において、前記下辺受材の長手方向に沿って、その上面にガイド溝が設けられ、前記昇降ブロックが前記ガイド溝に沿って配置されるとともに、前記下辺受材の上面には、前記昇降ブロックの左右に干渉して前記昇降ブロックが前記下辺受材の長手方向に移動することを規制する横ズレ防止部材が取り付けられてもよい。これにより、調整ねじを操作したときの昇降ブロックの昇降動作が一層、安定する。
【００２０】
また、前述した二通りの基本的構成において、前記下辺受材には、前記面材と直交する方向に進退して前記面材の下縁部に締着または圧接されることにより、前記面材を前記下辺受材に対して不動状態に固定する固定ねじが、前記面材の正面側から操作し得るように取り付けられてもよい。これにより、面材を適正な角度に調整した後、動かないように固定することが容易になる。
【発明の効果】
【００２１】
前述のように構成される本発明の面材の角度調整装置は、面材の下縁部を保持する下辺受材に取り付けた調整ねじを操作することで、面材の下縁部と下辺受材との間に組み込んだ昇降ブロックが昇降するように構成されているので、面材の周縁部を囲んで保持する枠体を分解することなく、面材の傾きを簡単に調整することが可能になる。しかも、調整ねじの操作は、面材が装着される枠体の正面側から、面材の意匠の見え方を確認しつつ行うことができる。
【００２２】
さらに、この角度調整装置は、下辺受材の内側に昇降ブロックを昇降させ得るスペースさえ確保できれば、全体をきわめて簡素かつコンパクトに構成することができる。したがって、部品等の加工、組み付けコストを抑えやすく、建具の外観に表れる影響も小さくすることができる。
【図面の簡単な説明】
【００２３】
【図１】複層ガラスを嵌め込んだ従来一般のアルミサッシ窓における下框部分の縦方向拡大断面図である。
【図２】本発明が解決しようとする課題を図解する説明図であり、（ａ）が調整前、（ｂ）が調整後の状態をそれぞれ示す。
【図３】本発明の第一の基本的構成の動作原理を示す説明図であり、（ａ）が調整前、（ｂ）が調整後の状態をそれぞれ示す。
【図４】本発明の第二の基本的構成の動作原理を示す説明図であり、（ａ）が調整前、（ｂ）が調整後の状態をそれぞれ示す。
【図５】本発明の実施形態に係る面材の角度調整装置を下框に組み込んだ窓用障子の、略上半部を省略した部分正面図である。
【図６】前記角度調整装置の要部拡大断面斜視図である。
【図７】前記角度調整装置の要部を下框の上方から見た上面図である。
【図８】前記角度調整装置の、図７のＡ−Ａ位置における縦方向拡大断面図である。
【図９】前記角度調整装置の、図７のＢ−Ｂ位置における縦方向拡大断面図である。
【図１０】前記角度調整装置によって面材を持ち上げた状態を示す、図７のＡ−Ａ位置における縦方向拡大断面図である。
【発明を実施するための形態】
【００２４】
以下、本発明の実施の形態について、図面を参照しつつ説明する。なお、以下の説明では、部位・部材の位置関係や動作の向きについては、面材を正面側から見た状態を基準にして、面材の手前を「前」、面材の後方（背面）を「後」または「奥」と定めることとする。
【００２５】
（第一の実施の形態）
図５〜図１０は、本発明の第一の基本的構成を具体化した角度調整装置の例を示す。この形態では、面材１に複層ガラスパネル１０を用いている。例示の複層ガラスパネル１０は、図８に示すように、２枚のガラス板１１がスペーサを介して平行に対置され、それらの間に乾燥空気が封入された状態で、端面が封着材１３によって封止されたものである。この複層ガラスパネル１０自体は、図１に示した従来の一般的なものと特に差異はないが、これ以外の様々な面材１も利用可能である。
【００２６】
例示の形態では、複層ガラスパネル１０の周縁部のうち少なくとも下縁部に、該下縁部を保護するための内框材３１が取り付けられており、この内框材３１が外框材４１によって保持された二重框構造となっている。
【００２７】
内框材３１は、例えばアルミ押出し型材等からなり、図１に示した従来一般のアルミサッシ窓の下框材と同様に、その上面に複層ガラスパネル１０の下縁部を納めるための凹溝部３２が設けられている。凹溝部３２は、上向きに開口して内框材３１の長手方向に延び、その底部は中空二重構造をなしている。凹溝部３２の内底部分には、適度の弾性を備えた合成樹脂または合成ゴム等からなるセッティングブロック３３が適宜間隔で接着され、その上に複層ガラスパネル１０の下縁部が載置されて位置決めされる。複層ガラスパネル１０と内框材３１との隙間は、複層ガラスの下縁部に装着されたグレイジングビード等のシール部材３４によって、水密・気密的に封止される。内框材３１の裏底面３５は、平坦かつ平滑に形成されている。
【００２８】
外框材４１は、図５に示すように、左右の縦框材４２および上框材（図示せず）と連結されて、面材１を囲む一組の框体４０を構成する部材である。その框体４０が窓枠４００等に組み付けられて、窓の開閉時には所定の方向に移動する。内框材３１は、この外框材４１に保持された状態で、窓の開閉時には外框材４１とともに移動する一方、外框材４１に対しては微小寸法（数ｍｍ程度）だけ昇降する。すなわち、この外框材４１が、本発明の基本的構成における「下辺受材」に相当する。
【００２９】
例示の外框材４１は、アルミ押出し型材等からなり、その上面に断面略凹形の受溝部４３が設けられている。受溝部４３は、室内側起立片４４と室外側起立片４５とによって挟まれた上向きの開口で、外框材４１の長手方向に延びている。受溝部４３の幅は内框材３１の幅よりもわずかに広くなっており、この受溝部４３の内側に、内框材３１がその全長にわたって収納される。
【００３０】
外框材４１の中間部分は中空二重構造をなし、その下方には、室内側垂下片４６および室外側垂下片４７等が延出している。また、外框材４１の適所には、その開閉方式や窓枠４００等との納まりに応じて、止水パッキン取付溝４８、補強用の肉厚部４９、水抜き孔（図示せず）等が適宜、設けられている。
【００３１】
本発明の要部は、内框材３１と外框材４１との間に昇降ブロック６が介装され、その昇降ブロック６が調整ねじ７１の操作によって昇降する機構にある。例示の形態では、受溝部４３の内底部分にガイド溝５が形成されて、このガイド溝５に昇降ブロック６が組み付けられている。
【００３２】
ガイド溝５は、受溝部４３の内底部分の幅方向における略中間位置に、外框材４１の長手方向に沿って連続するように形成されている。ガイド溝５は、図６、図７に示すように、正面側の直立面５２と、直立面５２の下縁から後方へ水平に連続する細幅の溝底面５３と、溝底面５３の後縁から奥向きに登り傾斜で連続するガイド斜面５１とによって囲まれた、逆台形の断面形状を有している。ガイド斜面５１の傾斜角度は、水平面に対して約４５度となされ、その表面は平滑に仕上げられている。また、このガイド溝５を挟んで、受溝部４３の正面側の内底面４３１が奥側の内底面４３２よりもやや高くなっている。
【００３３】
昇降ブロック６は、例えばステンレス鋼、真鍮、その他硬質の合金等からなる、長さ数ｃｍ程度までの細長い部材である。昇降ブロック６は、面材１の下縁部の片側または両側の端部に近接した一ないし二か所の位置（例示の形態では、正面から見て右端寄りの一か所）にて、ガイド溝５の上に組み付けられる。
【００３４】
昇降ブロック６は、その組み付け状態においてガイド溝５の溝底面５３に重なる水平底面６２と、水平底面６２の前縁から少なくともガイド溝５の正面側の内底面４３１の高さまで垂直に立ち上がる直立正面６３と、水平底面６２の後縁からガイド斜面５１と同じ傾斜角で延出してガイド斜面５１に重ねられる摺接斜面６１と、摺接斜面６１の後縁から垂直に立ち上がる直立背面６４と、直立正面６３及び直立背面６４の上縁に連続する水平天面６５とによって囲まれた、略五角形の端面形状を有している。これら各面のうち少なくとも水平天面６５および摺接斜面６１は、平滑に仕上げられている。そして、ガイド溝５に組み付けられた昇降ブロック６の水平天面６５に、内框材３１の裏底面３５が直接、載置される。
【００３５】
調整ねじ７１は、ガイド溝５の直立面５２を面材１と直交する方向に貫通するようにして、やや厚肉に形成された該直立面５２に螺合され、その先端を昇降ブロック６の直立正面６３に当接させている。例示の調整ねじ７１には、頭部に操作用の六角孔が形成された平先の芋ねじが利用されている。外框材４１の正面側中間部分には、調整ねじ７１の軸線上に円形の通孔７２が形成され、この通孔７２から六角レンチ（図示せず）を挿し込むなどして調整ねじ７１を回動させと、調整ねじ７１が面材１と直交する方向に進退する。
【００３６】
図８の状態から調整ねじ７１を締めて、昇降ブロック６を後方に押し込むと、図１０に示すように、昇降ブロック６がガイド斜面５１に沿って斜め後方にせり上がり、内框材３１の裏底面３５を持ち上げる。調整ねじ７１を緩めると、昇降ブロック６がガイド斜面５１に沿って斜め前方に滑り落ち、内框材３１の裏底面３５が下がる。このような操作で、面材１の正面側から簡単に、面材１を昇降させることができる。なお、調整可能な昇降範囲は、ガイド斜面５１と摺接斜面６１との摺接面の有効寸法に規定される。
【００３７】
例示の形態では、ガイド溝５に組み付けられた昇降ブロック６が外框材４１の長手方向に不用意に移動してしまうことを防ぐため、受溝部４３に横ズレ防止部材９が取り付けられている。横ズレ防止部材９は、受溝部４３の奥側の内底面４３２に重ねられる平坦な基片９１と、基片９１の長手方向両端から正面側に向けて延出され、ガイド斜面５１に沿って下降傾斜するように形成された一対のズレ止め片９２とを有している。基片９１の厚さは、受溝部４３の奥側の内底面４３２と正面側の内底面４３１との高さの差に合致しており、この基片９１が皿小ねじ９３で受溝部４３の奥側の内底面４３２に固定されると、受溝部４３の正面側の内底面４３１と基片９１の表面とが面一に揃う。一対のズレ止め片９２の左右の対向間隔は、昇降ブロック６の長さよりもわずかに長く形成されており、その間に昇降ブロック６が挟み込まれることで、昇降ブロック６がガイド溝５上の所定位置に拘束される。
【００３８】
昇降ブロック６の進退によって適切な高さに調整された面材１は、固定ねじ７３を用いて、調整後の位置に固定される。例示の形態では、外框材４１の室内側起立片４４に設けられた肉厚部に縦長の長孔７４が形成され、この長孔７４に固定ねじ７３が遊挿されている。固定ねじ７３には、ナベ頭を有する尖り先ねじが利用されている。この固定ねじ７３の先端が、内框材３１の中空二重部分の正面に形成された下孔（図示せず）に締め込まれることより、内框材３１が正面側に引き付けられ、外框材４１の室内側起立片４４に圧接された状態で固定される。
【００３９】
以上に説明したように、本発明の第一の基本的構成に係る実施の形態は、図３の下辺受材４に相当する外框材４１の上面に受溝部４３を設けて、その内側に面材１の下縁部を保護する内框材３１を納め、受溝部４３の内底部分には、正面側から見て奥向きに登り傾斜となるガイド斜面５１を有するガイド溝５を形成して、その上に同じ傾斜角の摺接斜面６１を底部に形成した昇降ブロック６を載せ、外框材４１に取り付けた調整ねじ７１を正面側から操作することで、昇降ブロック６をガイド斜面５１に沿って斜めに昇降させ、面材１を上下動させるものである。かかる角度調整装置を、面材１の下縁部の両端部のうち少なくとも片側の端部に近接させて設けることにより、面材１の片側または両側を上下動させて、面材１の傾斜角を調整することができる。
【００４０】
（第二の実施の形態）
本発明の第二の基本的構成に係る実施の形態も、前述した第一の基本的構成に係る実施の形態に準じて、その一部を改変することにより、好適に実施することができる。すなわち、図４の下辺受材４に相当する外框材４１の上面に受溝部４３を設けて、その内側に面材１の下縁部を保護する内框材３１を納める。受溝部４３の内底部分には、図４に示したような断面略凹形のガイド溝を形成して、その中にガイドブロック８と昇降ブロック６とを重ねて組み付ける。ガイドブロック８のガイド斜面８１と、これに重なる昇降ブロック６の摺接斜面６１は、前述の実施の形態とは反対に、正面側から見て奥向きに約４５度の下り傾斜となるように形成する。外框材４１には、調整ねじ７を、正面側から操作しうるように取り付けて、その先端をガイドブロック８の正面に当接させる。この調整ねじ７を操作してガイドブロック８を進退させることにより、昇降ブロック６をガイド溝内でガイド斜面８１に沿って昇降させ、面材１を上下動させることができる。
【００４１】
なお、本発明の技術的範囲は、例示した実施の形態によって限定的に解釈されるべきものではなく、特許請求の範囲の記載に基づいて概念的に解釈されるべきものである。また、本発明は、図３または図４に示した動作原理を応用する範囲において、各構成部材の詳細な形状や構造等を適宜改変して実施することができる。
【００４２】
例えば、面材１の下縁部と、これを保持する下辺受材４の断面形状は、互いに合理的に納まり合う限りにおいて任意である。外框材４１に内框材３１が収納される状態において、正面側から内框材３１の見付面の一部が見えるか、それとも内框材３１の見付面が全て外框材４１の見付面に隠れるか、に関しても、本発明では特に限定しないので、当該建具の仕様、用途、設置目的等に応じて適宜決定されればよい。
【００４３】
面材１を支持する昇降ブロック６は、ガイド溝５のガイド斜面５１、またはガイドブロック８のガイド斜面８１に沿って円滑に昇降し得るものであれば、その天面、正面、背面、端面等の形態は任意である。下辺受材４にガイド溝を設けて、その一部をガイド斜面５１とする場合は、ガイド溝を押出し成形等によって下辺受材４と一体的に形成してもよいし、例えば適当な別体の部材を所定の部位に取り付けて形成することもできる。また、面材１の下縁部において昇降ブロック６を組み付ける位置は、面材１の両端部近傍でもよいし、昇降目的によっては面材１の中間部近傍でもよい。また、ガイド斜面５１、８１および摺接斜面６１の水平面に対する傾斜角度は、昇降ブロック６を無理なく昇降させ得る範囲（おおむね１０度ないし６０度の範囲）で設定可能であり、３０度ないし５０度の範囲であれば、より好ましい。それらの両斜面には、摩擦抵抗を軽減するために適宜の表面加工や潤滑処理が施されていてもよい。
【００４４】
調整ねじ７、７１については、正面側からの操作で昇降ブロック６またはガイドブロック８を円滑に進退させ得るものである限り、従来公知のねじ機構等を適宜選択、あるいは組み合わせて利用することができる、固定ねじ７３についても、調整後の面材１を無理なく固定し得るものであれば、その詳細な構造、固定形態、取付位置、操作方法等は任意である。横ズレ防止部材９も、昇降ブロック６の近傍に納まり良く取り付けられるものであれば、各種形状の板片やピンその他の部材を適宜選択して利用することができる。
【符号の説明】
【００４５】
１  面材
１０  複層ガラスパネル
３１  内框材
４  下辺受材
４１  外框材
５  ガイド溝
５１  ガイド斜面
６  昇降ブロック
６１  摺接斜面
７  調整ねじ
７１  調整ねじ
７３  固定ねじ
８  ガイドブロック
８１  ガイド斜面
９  横ズレ防止部材
【図１】
2017110337.tif 000003
【図２】
2017110337.tif 000004
【図３】
2017110337.tif 000005
【図４】
2017110337.tif 000006
【図５】
2017110337.tif 000007
【図６】
2017110337.tif 000008
【図７】
2017110337.tif 000009
【図８】
2017110337.tif 000010
【図９】
2017110337.tif 000011
【図１０】
2017110337.tif 000012
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
面材の下縁部を保持する下辺受材と、
前記下辺受材の上面に設けられたガイド斜面と、
前記ガイド斜面と前記面材の下縁部との間に介装される昇降ブロックと、
前記下辺受材に取り付けられて前記昇降ブロックを前記面材と直交する方向に進退させる調整ねじと、
を具備し、
前記ガイド斜面は、前記面材の正面側から見て奥向きに登り傾斜となるように形成される一方、
前記昇降ブロックの底部には前記ガイド斜面と同じ傾斜角をなす摺接斜面が形成され、
前記調整ねじの操作に応じて、前記昇降ブロックが前記ガイド斜面に沿って斜めに昇降し、前記面材の下縁部が上下動して、前記面材の傾斜角が変化するように構成された面材の角度調整装置。
【請求項２】
請求項１に記載された面材の角度調整装置において、
前記ガイド斜面の水平面に対する傾斜角度が３０度ないし５０度であることを特徴とする面材の角度調整装置。
【請求項３】
請求項１または２に記載された面材の角度調整装置において、
前記下辺受材の長手方向に沿って、その上面にガイド溝が設けられ、
前記昇降ブロックが前記ガイド溝に沿って配置されるとともに、
前記下辺受材の上面には、前記昇降ブロックの左右に干渉して前記昇降ブロックが前記下辺受材の長手方向に移動することを規制する横ズレ防止部材が取り付けられたことを特徴とする面材の角度調整装置。
【請求項４】
請求項１〜３のいずれか１項に記載された面材の角度調整装置において、
前記下辺受材には、前記面材と直交する方向に進退して前記面材の下縁部に締着または圧接されることにより、前記面材を前記下辺受材に対して不動状態に固定する固定ねじが、前記面材の正面側から操作し得るように取り付けられたことを特徴とする面材の角度調整装置。